(57)【要約】  本開示は、ダウンリンクチャネルの伝送方法および装置を提供する。前記ダウンリンクチャネルの伝送方法において、ｇｒｏｕｐ  ｃｏｍｍｏｎ  ＰＤＣＣＨ伝送用のリソースセットをＵＥに通知することを含む。本開示の手段によれば、ＵＥは、ｇｒｏｕｐ  ｃｏｍｍｏｎ  ＰＤＣＣＨの検出受信用のリソース位置を特定し、ｇｒｏｕｐ  ｃｏｍｍｏｎ  ＰＤＣＣＨのリソース位置でｇｒｏｕｐ  ｃｏｍｍｏｎ  ＰＤＣＣＨを検出して受信することができる。【選択図】  図１
2020518196.tif 000002
【特許請求の範囲】
【請求項１】
ｇｒｏｕｐ  ｃｏｍｍｏｎ  ＰＤＣＣＨ伝送用のリソースセットをＵＥ（Ｕｓｅｒ  Ｅｑｕｉｐｍｅｎｔ）に通知することを含む、ダウンリンクチャネルの伝送方法。
【請求項２】
前記のｇｒｏｕｐ  ｃｏｍｍｏｎ  ＰＤＣＣＨ伝送用のリソースセットをＵＥに通知することは、具体的に、
ｇｒｏｕｐ  ｃｏｍｍｏｎ  ＰＤＣＣＨ伝送用のリソースセットをハイレイヤシグナリングで前記ＵＥに通知すること、または、
前記ｇｒｏｕｐ  ｃｏｍｍｏｎ  ＰＤＣＣＨのリソースセットが共通ダウンリンク制御チャネルのリソースセットとは重なる場合、共通ダウンリンク制御チャネル伝送用のリソースセットをＭＩＢ（Ｍａｓｔｅｒ  Ｉｎｆｏｒｍａｔｉｏｎ  Ｂｌｏｃｋ）メッセージで前記ＵＥに通知し、ｇｒｏｕｐ  ｃｏｍｍｏｎ  ＰＤＣＣＨ伝送用のリソースセットを暗黙的に前記ＵＥに通知することを含む、請求項１に記載の伝送方法。
【請求項３】
前記ｇｒｏｕｐ  ｃｏｍｍｏｎ  ＰＤＣＣＨのリソースセットは、
ほかの制御チャネルのリソースセットとは重なり、または、ほかの制御チャネルのリソースセットから独立する、請求項１に記載の伝送方法。
【請求項４】
前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩ（Ｄｏｗｎｌｉｎｋ  Ｃｏｎｔｒｏｌ  Ｉｎｆｏｒｍａｔｉｏｎ）フォーマットに応じて前記ｇｒｏｕｐ  ｃｏｍｍｏｎ  ＰＤＣＣＨを送信することをさらに含む、請求項３に記載の伝送方法。
【請求項５】
前記ｇｒｏｕｐ  ｃｏｍｍｏｎ  ＰＤＣＣＨのリソースセットがほかの制御チャネルのリソースセットとは重なることは、具体的に、
前記ｇｒｏｕｐ  ｃｏｍｍｏｎ  ＰＤＣＣＨのリソースセットは、ＭＩＢまたはＳＩＢ（Ｓｙｓｔｅｍ  Ｉｎｆｏｒｍａｔｉｏｎ  Ｂｌｏｃｋ）で設定される共通ダウンリンク制御チャネル伝送用のリソースセットとは重なる、請求項４に記載の伝送方法。
【請求項６】
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することは、具体的に、
前記ｇｒｏｕｐ  ｃｏｍｍｏｎ  ＰＤＣＣＨが送信されるスロットの１つ目のＯＦＤＭ（ｏｒｔｈｏｇｏｎａｌ  ｆｒｅｑｕｅｎｃｙ−ｄｉｖｉｓｉｏｎ  ｍｕｌｔｉｐｌｅｘｉｎｇ）シンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する、請求項４に記載の伝送方法。
【請求項７】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することをさらに含む、請求項３に記載の伝送方法。
【請求項８】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを送信することをさらに含む、請求項３に記載の伝送方法。
【請求項９】
前記ｇｒｏｕｐ  ｃｏｍｍｏｎ  ＰＤＣＣＨのＣＲＣ（Ｃｙｃｌｉｃ  Ｒｅｄｕｎｄａｎｃｙ  Ｃｈｅｃｋ）スクランブルに用いられるＲＮＴＩ（Ｒａｄｉｏ  Ｎｅｔｗｏｒｋ  Ｔｅｍｐｏｒａｒｙ  ＩＤ）値をハイレイヤシグナリングで前記ＵＥに通知することをさらに含み、
前記の前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することは、具体的に、
前記ｇｒｏｕｐ  ｃｏｍｍｏｎ  ＰＤＣＣＨのリソースセット内で、前記ＲＮＴＩ値によるスクランブル後のＣＲＣが加えられた所定のＤＣＩフォーマットに応じて前記ｇｒｏｕｐ  ｃｏｍｍｏｎ  ＰＤＣＣＨを送信する、請求項７に記載の伝送方法。
【請求項１０】
前記ｇｒｏｕｐ  ｃｏｍｍｏｎ  ＰＤＣＣＨには、少なくとも１つのＵＥを含むＵＥ群の関連情報が付帯されている、請求項１に記載の伝送方法。
【請求項１１】
基地局からｇｒｏｕｐ  ｃｏｍｍｏｎ  ＰＤＣＣＨが伝送されるリソースセットを取得することを含む、ダウンリンクチャネルの伝送方法。
【請求項１２】
前記の基地局からｇｒｏｕｐ  ｃｏｍｍｏｎ  ＰＤＣＣＨが伝送されるリソースセットを取得することは、具体的に、
前記基地局からｇｒｏｕｐ  ｃｏｍｍｏｎ  ＰＤＣＣＨが伝送されるリソースセットをハイレイヤシグナリングで取得すること、または、
前記ｇｒｏｕｐ  ｃｏｍｍｏｎ  ＰＤＣＣＨのリソースセットが共通ダウンリンク制御チャネルのリソースセットとは重なる場合、基地局から共通ダウンリンク制御チャネルが伝送されるリソースセットをＭＩＢメッセージで取得し、前記基地局からｇｒｏｕｐ  ｃｏｍｍｏｎ  ＰＤＣＣＨが伝送されるリソースセットを特定することを含む、請求項１１に記載の伝送方法。
【請求項１３】
前記ｇｒｏｕｐ  ｃｏｍｍｏｎ  ＰＤＣＣＨのリソースセットは、
ほかの制御チャネルのリソースセットとは重なり、または、ほかの制御チャネルのリソースセットから独立する、請求項１１に記載の伝送方法。
【請求項１４】
前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することをさらに含む、請求項１３に記載の伝送方法。
【請求項１５】
前記ｇｒｏｕｐ  ｃｏｍｍｏｎ  ＰＤＣＣＨのリソースセットがほかの制御チャネルのリソースセットとは重なることは、具体的に、
前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる、請求項１４に記載の伝送方法。
【請求項１６】
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することは、具体的に、
前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する、請求項１４に記載の伝送方法。
【請求項１７】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することをさらに含む、請求項１３に記載の伝送方法。
【請求項１８】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを検出して受信することをさらに含む、請求項１３に記載の伝送方法。
【請求項１９】
前記ｇｒｏｕｐ  ｃｏｍｍｏｎ  ＰＤＣＣＨのＣＲＣスクランブルに用いられるＲＮＴＩ値をハイレイヤシグナリングで取得することをさらに含み、
前記の前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することは、具体的に、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの、前記ＲＮＴＩ値によるスクランブル後のＣＲＣが加えられた所定のＤＣＩフォーマットを、前記ＲＮＴＩ値に応じて検出して受信する、請求項１７に記載の伝送方法。
【請求項２０】
前記ｇｒｏｕｐ  ｃｏｍｍｏｎ  ＰＤＣＣＨには、少なくとも１つのＵＥを含むＵＥ群の関連情報が付帯されている、請求項１１に記載の伝送方法。
【請求項２１】
ｇｒｏｕｐ  ｃｏｍｍｏｎ  ＰＤＣＣＨ伝送用のリソースセットをＵＥに通知する第１通知モジュールを含む、ダウンリンクチャネルの伝送装置。
【請求項２２】
前記第１通知モジュールは、具体的に、
ｇｒｏｕｐ  ｃｏｍｍｏｎ  ＰＤＣＣＨ伝送用のリソースセットをハイレイヤシグナリングで前記ＵＥに通知し、または、
前記ｇｒｏｕｐ  ｃｏｍｍｏｎ  ＰＤＣＣＨのリソースセットが共通ダウンリンク制御チャネルのリソースセットとは重なる場合、共通ダウンリンク制御チャネル伝送用のリソースセットをＭＩＢメッセージで前記ＵＥに通知し、ｇｒｏｕｐ  ｃｏｍｍｏｎ  ＰＤＣＣＨ伝送用のリソースセットを暗黙的に前記ＵＥに通知する、請求項２１に記載の伝送装置。
【請求項２３】
前記ｇｒｏｕｐ  ｃｏｍｍｏｎ  ＰＤＣＣＨのリソースセットは、
ほかの制御チャネルのリソースセットとは重なり、または、ほかの制御チャネルのリソースセットから独立する、請求項２１に記載の伝送装置。
【請求項２４】
前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する第１送信モジュールをさらに含む、請求項２３に記載の伝送装置。
【請求項２５】
前記ｇｒｏｕｐ  ｃｏｍｍｏｎ  ＰＤＣＣＨのリソースセットがほかの制御チャネルのリソースセットとは重なることは、具体的に、
前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる、請求項２４に記載の伝送装置。
【請求項２６】
前記第１送信モジュールは、具体的に、
前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する、請求項２４に記載の伝送装置。
【請求項２７】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する第２送信モジュールをさらに含む、請求項２３に記載の伝送装置。
【請求項２８】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを送信する第３送信モジュールをさらに含む、請求項２３に記載の伝送装置。
【請求項２９】
前記ｇｒｏｕｐ  ｃｏｍｍｏｎ  ＰＤＣＣＨのＣＲＣスクランブルに用いられるＲＮＴＩ値をハイレイヤシグナリングで前記ＵＥに通知する第２通知モジュールをさらに含み、
前記第２送信モジュールは、具体的に、
前記ｇｒｏｕｐ  ｃｏｍｍｏｎ  ＰＤＣＣＨのリソースセット内で、前記ＲＮＴＩ値によるスクランブル後のＣＲＣが加えられた所定のＤＣＩフォーマットに応じて前記ｇｒｏｕｐ  ｃｏｍｍｏｎ  ＰＤＣＣＨを送信する、請求項２７に記載の伝送装置。
【請求項３０】
前記ｇｒｏｕｐ  ｃｏｍｍｏｎ  ＰＤＣＣＨには、少なくとも１つのＵＥを含むＵＥ群の関連情報が付帯されている、請求項２１に記載の伝送装置。
【請求項３１】
基地局からｇｒｏｕｐ  ｃｏｍｍｏｎ  ＰＤＣＣＨが伝送されるリソースセットを取得する第１取得モジュールを含む、ダウンリンクチャネルの伝送装置。
【請求項３２】
前記第１取得モジュールは、具体的に、
前記基地局からｇｒｏｕｐ  ｃｏｍｍｏｎ  ＰＤＣＣＨが伝送されるリソースセットをハイレイヤシグナリングで取得し、または、
前記ｇｒｏｕｐ  ｃｏｍｍｏｎ  ＰＤＣＣＨのリソースセットが共通ダウンリンク制御チャネルのリソースセットとは重なる場合、ＵＥから共通ダウンリンク制御チャネルが伝送されるリソースセットをＭＩＢメッセージで取得し、前記ＵＥからｇｒｏｕｐ  ｃｏｍｍｏｎ  ＰＤＣＣＨが伝送されるリソースセットを特定する、請求項３１に記載の伝送装置。
【請求項３３】
前記ｇｒｏｕｐ  ｃｏｍｍｏｎ  ＰＤＣＣＨのリソースセットは、
ほかの制御チャネルのリソースセットとは重なり、または、ほかの制御チャネルのリソースセットから独立する、請求項３１に記載の伝送装置。
【請求項３４】
前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する第１受信モジュールをさらに含む、請求項３３に記載の伝送装置。
【請求項３５】
前記ｇｒｏｕｐ  ｃｏｍｍｏｎ  ＰＤＣＣＨのリソースセットがほかの制御チャネルのリソースセットとは重なることは、具体的に、
前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる、請求項３４に記載の伝送装置。
【請求項３６】
前記第１受信モジュールは、具体的に、
前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する、請求項３５に記載の伝送装置。
【請求項３７】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する第２受信モジュールをさらに含む、請求項３３に記載の伝送装置。
【請求項３８】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを検出して受信する第３受信モジュールをさらに含む、請求項３３に記載の伝送装置。
【請求項３９】
前記ｇｒｏｕｐ  ｃｏｍｍｏｎ  ＰＤＣＣＨのＣＲＣスクランブルに用いられるＲＮＴＩ値をハイレイヤシグナリングで取得する第２取得モジュールをさらに含み、
第２受信モジュールは、具体的に、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの、前記ＲＮＴＩ値によるスクランブル後のＣＲＣが加えられた所定のＤＣＩフォーマットを、前記ＲＮＴＩ値に応じて検出して受信する、請求項３７に記載の伝送装置。
【請求項４０】
前記ｇｒｏｕｐ  ｃｏｍｍｏｎ  ＰＤＣＣＨには、少なくとも１つのＵＥを含むＵＥ群の関連情報が付帯されている、請求項３１に記載の伝送装置。
【請求項４１】
プロセッサ、メモリおよび前記メモリに記憶されて前記プロセッサで実行可能なコンピュータプログラムを含むダウンリンクチャネルの伝送装置において、
前記プロセッサが前記コンピュータプログラムを実行すると、請求項１〜１０のいずれか一項に記載のダウンリンクチャネルの伝送方法のステップが実現される、ダウンリンクチャネルの伝送装置。
【請求項４２】
プロセッサ、メモリおよび前記メモリに記憶されて前記プロセッサで実行可能なコンピュータプログラムを含むダウンリンクチャネルの伝送装置において、
前記プロセッサが前記コンピュータプログラムを実行すると、請求項１１〜２０のいずれか一項に記載のダウンリンクチャネルの伝送方法のステップが実現される、ダウンリンクチャネルの伝送装置。
【請求項４３】
コンピュータプログラムが記憶されているコンピュータ読み取り可能な記憶媒体であって、
前記コンピュータプログラムがプロセッサによって実行されると、請求項１〜１０のいずれか一項に記載のダウンリンクチャネルの伝送方法のステップが実現される、コンピュータ読み取り可能な記憶媒体。
【請求項４４】
コンピュータプログラムが記憶されているコンピュータ読み取り可能な記憶媒体であって、
前記コンピュータプログラムがプロセッサによって実行されると、請求項１１〜２０のいずれか一項に記載のダウンリンクチャネルの伝送方法のステップが実現される、コンピュータ読み取り可能な記憶媒体。
【発明の詳細な説明】
【技術分野】
【０００１】
本願は、２０１７年４月２８日に中国特許庁に提出された中国特許出願２０１７１０２９９３０６．５の優先権を主張し、その全ての内容が援用によりここに取り込まれる。
本開示は、通信技術分野に係り、特にダウンリンクチャネルの伝送方法および装置に係る。
【背景技術】
【０００２】
移動インターネットは、従来の移動通信サービス方式を覆し、今までにない使用体験をユーザに提供し、人々の仕事や生活のさまざまな方面に大きく影響する。移動インターネットは、人類社会における情報のやり取り方式の更なるグレードアップを推し進め、拡張現実、仮想現実、超高解像度（３Ｄ）動画、モバイルクラウドなど、より多様化するサービス体験をユーザに提供する。移動インターネットの更なる発展によって、将来、移動トラフィックの増加が千倍を超え、移動通信技術および産業の新たな改革を推し進める。一方、モノのインターネットは、人と人の通信から、人とモノ、モノとモノのスマートな相互接続まで延伸するように、移動通信のサービス範囲を拡張させ、移動通信技術をより広い業界と分野に浸透させる。将来、移動医療、車両ネットワーク、スマートホーム、工業制御、環境監視などは、モノのインターネットの応用の爆発的な増加を推し進め、膨大量の機器がネットワークにアクセスし、真の「インターネットオブエブリシングス」が実現される。同時に、超大量の機器接続および多様化するモノのインターネットサービスのために、移動通信は、新規技術に挑むことになる。
【０００３】
新しいサービスリクエストが次々と現れて多様化するにつれて、将来の移動通信システムに対し、より高いピークレート、より優れるユーザ体験レート、より小さい遅延、より高い信頼性、より高いスペクトル効率、より高いエネルギー効率など、より高い性能が求められ、より多くのユーザのアクセスおよび各種類のサービスの使用をサポートすることが必要とされる。巨大量でさまざまな端末接続および異なる種類のサービスをサポートするために、アップリンク／ダウンリンクリソースの柔軟な設定は、技術発展の大きな傾向になっている。将来のシステムリソースは、サービスに応じて異なるサブバンドに区分され、多種類のサービスリクエストを満たすには、サブバンドで異なる長さのＴＴＩ（Ｔｒａｎｓｍｉｓｓｉｏｎ  Ｔｉｍｅ  Ｉｎｔｅｒｖａｌ）が区分される。
【０００４】
関連技術のＬＴＥ（登録商標）（Ｌｏｎｇ  Ｔｅｒｍ  Ｅｖｏｌｕｔｉｏｎ）  ＦＤＤ（Ｆｒｅｑｕｅｎｃｙ  Ｄｉｖｉｓｉｏｎ  Ｄｕｐｌｅｘｉｎｇ）システムのアップリンク／ダウンリンク伝送において、搬送波周波数が異なるものの、同一のフレーム構造が使用される。各搬送波では、長さ１０ｍｓの１つの無線フレームに１０個の１ｍｓのサブフレームが含まれ、各サブフレームが長さ０．５ｍｓの２つのスロットに分けられる。アップリンク／ダウンリンクデータ送信のＴＴＩの長さは、１ｍｓである。一方、関連技術のＬＴＥ  ＴＤＤ（Ｔｉｍｅ  Ｄｉｖｉｓｉｏｎ  Ｄｕｐｌｅｘｉｎｇ）システムのアップリンク／ダウンリンク伝送において、同一周波数の異なるサブフレームまたは異なるスロットが使用される。ＴＤＤシステムで用いられるフレーム構造において、１０ｍｓの各無線フレームが２つの５ｍｓのハーフフレームからなり、各ハーフフレームに５個の長さ１ｍｓのサブフレームが含まれる。サブフレームは、ダウンリンクサブフレーム、アップリンクサブフレームおよびスペシャルサブフレームの３種類に分けられる。各スペシャルサブフレームは、ダウンリンクパイロット、ダウンリンクサービスデータおよびダウンリンク制御シグナリングの伝送が可能なＤｗＰＴＳ（Ｄｏｗｎｌｉｎｋ  Ｐｉｌｏｔ  Ｔｉｍｅ  Ｓｌｏｔ）、信号伝送が一切行われないＧＰ（Ｇｕａｒｄ  Ｐｅｒｉｏｄ）、および、ランダムアクセスとＳＲＳ（Ｓｏｕｎｄｉｎｇ  Ｒｅｆｅｒｅｎｃｅ  Ｓｙｍｂｏｌ）のみが伝送され、アップリンクサービスまたはアップリンク制御情報の伝送ができないＵｐＰＴＳ（Ｕｐｌｉｎｋ  Ｐｉｌｏｔ  Ｔｉｍｅ  Ｓｌｏｔ）の３部分からなる。各ハーフフレームに少なくとも１つのダウンリンクサブフレーム、少なくとも１つのアップリンクサブフレームおよび最多で１つのスペシャルサブフレームを含む。
【０００５】
関連技術のＬＴＥシステムのＰＤＣＣＨ（ｐｈｙｓｉｃａｌ  ｄｏｗｎｌｉｎｋ  ｃｏｎｔｒｏｌ  ｃｈａｎｎｅｌ）は、スケジューリング情報およびほかの制御情報を搬送する。各ダウンリンクサブフレームの制御エリアに複数のＰＤＣＣＨを有し、制御エリアのサイズは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）によって決められ、１〜４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを占める。１つの制御チャネルの伝送は、１つのＣＣＥ（ｃｏｎｔｒｏｌ  ｃｈａｎｎｅｌ  ｅｌｅｍｅｎｔ）または複数の連続するＣＣＥを占用し、各ＣＣＥが９つのＲＥＧ（ｒｅｓｏｕｒｃｅ  ｅｌｅｍｅｎｔ  ｇｒｏｕｐ）からなり、かつＰＤＣＣＨのＣＣＥに含まれるＲＥＧは、ＰＣＦＩＣＨとＰＨＩＣＨの搬送に用いられないＲＥＧである。端末は、ｎｏｎ−ＤＲＸサブフレームでＰＤＣＣＨ候補セットをモニタリングし、すなわち、モニタリングすべくＤＣＩ（Ｄｏｗｎｌｉｎｋ  Ｃｏｎｔｒｏｌ  Ｉｎｆｏｒｍａｔｉｏｎ）フォーマットに基づいて、検索空間における各ＰＤＣＣＨの復号を試みる。ＰＤＣＣＨの容量を拡張させるには、Ｒｅｌ−１１においてＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）が導入されている。ＥＰＤＣＣＨは、サブフレームのデータエリアで伝送され、ＰＤＣＣＨの伝送空間を占用せず、かつＥＰＤＣＣＨが構成されたＵＥは、各サブフレームで構成されたＰＲＢ（Ｐｈｙｓｉｃａｌ  Ｒｅｓｏｕｒｃｅ  Ｂｌｏｃｋ）セット内でＥＰＤＣＣＨを検出して受信する。ＥＭＴＣ  ＵＥは、ハイレイヤに構成された１つまたは複数のサブフレームでＭＰＤＣＣＨを検出して受信する。
【０００６】
関連技術のＬＴＥシステムにおいて、ＵＥは、所望の情報に基づいて、ＣＳＳ（Ｃｏｍｍｏｎ  Ｓｅａｒｃｈ  Ｓｐａｃｅ）またはＵＳＳ（ＵＥ  ｓｐｅｃｉｆｉｃ  Ｓｅａｒｃｈ    Ｓｐａｃｅ）で自身のＰＤＣＣＨのブラインド検出を行う。たとえば、ＵＥは、ユニキャストデータのスケジューリング用のＰＤＣＣＨをＵＳＳで検出して受信し、ブロードキャストデータのスケジューリング用のＰＤＣＣＨをＣＳＳで検出して受信する。将来の移動通信システムにおいて、端末群の関連情報をスケジューリングまたは通知するグループ共通（ｇｒｏｕｐ  ｃｏｍｍｏｎ）ＰＤＣＣＨの導入が必要される。しかし、現在、ｇｒｏｕｐ  ｃｏｍｍｏｎ  ＰＤＣＣＨ伝送用のリソース位置およびＵＥによるｇｒｏｕｐ  ｃｏｍｍｏｎ  ＰＤＣＣＨの受信について明確な解決策がない。
【発明の概要】
【０００７】
本開示の目的は、ｇｒｏｕｐ  ｃｏｍｍｏｎ  ＰＤＣＣＨの伝送が明確化されていないという従来技術の問題を解決するために、ダウンリンクチャネルの伝送方法および装置を提供することにある。
【０００８】
１つの方面において、本開示は、ダウンリンクチャネルの伝送方法を提供する。当該方法において、ｇｒｏｕｐ  ｃｏｍｍｏｎ  ＰＤＣＣＨ伝送用のリソースセットをＵＥに通知することを含む。
【０００９】
選択可能に、前記のｇｒｏｕｐ  ｃｏｍｍｏｎ  ＰＤＣＣＨ伝送用のリソースセットをＵＥに通知することは、具体的に、ｇｒｏｕｐ  ｃｏｍｍｏｎ  ＰＤＣＣＨ伝送用のリソースセットをハイレイヤシグナリングで前記ＵＥに通知すること、または、前記ｇｒｏｕｐ  ｃｏｍｍｏｎ  ＰＤＣＣＨのリソースセットが共通ダウンリンク制御チャネルのリソースセットとは重なる場合、共通ダウンリンク制御チャネル伝送用のリソースセットをＭＩＢメッセージで前記ＵＥに通知し、ｇｒｏｕｐ  ｃｏｍｍｏｎ  ＰＤＣＣＨ伝送用のリソースセットを暗黙的に前記ＵＥに通知することを含む。
【００１０】
選択可能に、前記ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。
【００１１】
選択可能に、前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、前記伝送方法において、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することをさらに含む。
【００１２】
選択可能に、前記ｇｒｏｕｐ  ｃｏｍｍｏｎ  ＰＤＣＣＨのリソースセットがほかの制御チャネルのリソースセットとは重なることは、具体的に、前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる。
【００１３】
選択可能に、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することは、具体的に、前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する。
【００１４】
選択可能に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、前記伝送方法において、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することをさらに含む。
【００１５】
選択可能に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、前記伝送方法において、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを送信することをさらに含む。
【００１６】
選択可能に、前記伝送方法において、前記ｇｒｏｕｐ  ｃｏｍｍｏｎ  ＰＤＣＣＨのＣＲＣスクランブルに用いられるＲＮＴＩ値をハイレイヤシグナリングで前記ＵＥに通知することをさらに含み、前記の前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することは、具体的に、前記ｇｒｏｕｐ  ｃｏｍｍｏｎ  ＰＤＣＣＨのリソースセット内で、前記ＲＮＴＩ値によるスクランブル後のＣＲＣが加えられた所定のＤＣＩフォーマットに応じて前記ｇｒｏｕｐ  ｃｏｍｍｏｎ  ＰＤＣＣＨを送信する。
【００１７】
選択可能に、前記ｇｒｏｕｐ  ｃｏｍｍｏｎ  ＰＤＣＣＨには、少なくとも１つのＵＥを含むＵＥ群の関連情報が付帯されている。
【００１８】
別の方面において、本開示は、ダウンリンクチャネルの伝送方法をさらに提供する。当該方法において、基地局からｇｒｏｕｐ  ｃｏｍｍｏｎ  ＰＤＣＣＨが伝送されるリソースセットを取得することを含む。
【００１９】
選択可能に、前記の基地局からｇｒｏｕｐ  ｃｏｍｍｏｎ  ＰＤＣＣＨが伝送されるリソースセットを取得することは、具体的に、前記基地局からｇｒｏｕｐ  ｃｏｍｍｏｎ  ＰＤＣＣＨが伝送されるリソースセットをハイレイヤシグナリングで取得すること、または、前記ｇｒｏｕｐ  ｃｏｍｍｏｎ  ＰＤＣＣＨのリソースセットが共通ダウンリンク制御チャネルのリソースセットとは重なる場合、ＵＥから共通ダウンリンク制御チャネルが伝送されるリソースセットをＭＩＢメッセージで取得し、前記ＵＥからｇｒｏｕｐ  ｃｏｍｍｏｎ  ＰＤＣＣＨが伝送されるリソースセットを特定することを含む。
【００２０】
選択可能に、前記ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。
【００２１】
選択可能に、前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、前記伝送方法において、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することをさらに含む。
【００２２】
選択可能に、前記ｇｒｏｕｐ  ｃｏｍｍｏｎ  ＰＤＣＣＨのリソースセットがほかの制御チャネルのリソースセットとは重なることは、具体的に、前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる。
【００２３】
選択可能に、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することは、具体的に、前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する。
【００２４】
選択可能に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、前記伝送方法において、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することをさらに含む。
【００２５】
選択可能に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、前記伝送方法において、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを検出して受信することをさらに含む。
【００２６】
選択可能に、前記伝送方法において、前記ｇｒｏｕｐ  ｃｏｍｍｏｎ  ＰＤＣＣＨのＣＲＣスクランブルに用いられるＲＮＴＩ値をハイレイヤシグナリングで取得することをさらに含み、前記の前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することは、具体的に、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの、前記ＲＮＴＩ値によるスクランブル後のＣＲＣが加えられた所定のＤＣＩフォーマットを、前記ＲＮＴＩ値に応じて検出して受信する。
【００２７】
選択可能に、前記ｇｒｏｕｐ  ｃｏｍｍｏｎ  ＰＤＣＣＨには、少なくとも１つのＵＥを含むＵＥ群の関連情報が付帯されている。
【００２８】
さらに別の方面において、本開示は、ダウンリンクチャネルの伝送装置をさらに提供する。当該装置は、ｇｒｏｕｐ  ｃｏｍｍｏｎ  ＰＤＣＣＨ伝送用のリソースセットをＵＥに通知する第１通知モジュールを含む。
【００２９】
選択可能に、前記第１通知モジュールは、具体的に、ｇｒｏｕｐ  ｃｏｍｍｏｎ  ＰＤＣＣＨ伝送用のリソースセットをハイレイヤシグナリングで前記ＵＥに通知し、または、前記ｇｒｏｕｐ  ｃｏｍｍｏｎ  ＰＤＣＣＨのリソースセットが共通ダウンリンク制御チャネルのリソースセットとは重なる場合、共通ダウンリンク制御チャネル伝送用のリソースセットをＭＩＢメッセージで前記ＵＥに通知し、ｇｒｏｕｐ  ｃｏｍｍｏｎ  ＰＤＣＣＨ伝送用のリソースセットを暗黙的に前記ＵＥに通知する。
【００３０】
選択可能に、前記ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。
【００３１】
選択可能に、前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する第１送信モジュールをさらに含む。
【００３２】
選択可能に、前記ｇｒｏｕｐ  ｃｏｍｍｏｎ  ＰＤＣＣＨのリソースセットがほかの制御チャネルのリソースセットとは重なることは、具体的に、前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる。
【００３３】
選択可能に、前記第１送信モジュールは、具体的に、前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する。
【００３４】
選択可能に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する第２送信モジュールをさらに含む。
【００３５】
選択可能に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを送信する第３送信モジュールをさらに含む。
【００３６】
選択可能に、前記伝送装置は、前記ｇｒｏｕｐ  ｃｏｍｍｏｎ  ＰＤＣＣＨのＣＲＣスクランブルに用いられるＲＮＴＩ値をハイレイヤシグナリングで前記ＵＥに通知する第２通知モジュールをさらに含み、前記第３送信モジュールは、具体的に、前記ｇｒｏｕｐ  ｃｏｍｍｏｎ  ＰＤＣＣＨのリソースセット内で、前記ＲＮＴＩ値によるスクランブル後のＣＲＣが加えられた所定のＤＣＩフォーマットに応じて前記ｇｒｏｕｐ  ｃｏｍｍｏｎ  ＰＤＣＣＨを送信する。
【００３７】
選択可能に、前記ｇｒｏｕｐ  ｃｏｍｍｏｎ  ＰＤＣＣＨには、少なくとも１つのＵＥを含むＵＥ群の関連情報が付帯されている。
【００３８】
また別の方面において、本開示は、ダウンリンクチャネルの伝送装置をさらに提供する。前記装置は、基地局からｇｒｏｕｐ  ｃｏｍｍｏｎ  ＰＤＣＣＨが伝送されるリソースセットを取得する第１取得モジュールを含む。
【００３９】
選択可能に、前記第１取得モジュールは、具体的に、前記基地局からｇｒｏｕｐ  ｃｏｍｍｏｎ  ＰＤＣＣＨが伝送されるリソースセットをハイレイヤシグナリングで取得し、または、前記ｇｒｏｕｐ  ｃｏｍｍｏｎ  ＰＤＣＣＨのリソースセットが共通ダウンリンク制御チャネルのリソースセットとは重なる場合、ＵＥから共通ダウンリンク制御チャネルが伝送されるリソースセットをＭＩＢメッセージで取得し、前記ＵＥからｇｒｏｕｐ  ｃｏｍｍｏｎ  ＰＤＣＣＨが伝送されるリソースセットを特定する。
【００４０】
選択可能に、前記ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。
【００４１】
選択可能に、前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する第１受信モジュールをさらに含む。
【００４２】
選択可能に、前記ｇｒｏｕｐ  ｃｏｍｍｏｎ  ＰＤＣＣＨのリソースセットがほかの制御チャネルのリソースセットとは重なることは、具体的に、前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる。
【００４３】
選択可能に、前記第１受信モジュールは、具体的に、前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する。
【００４４】
選択可能に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する第２受信モジュールをさらに含む。
【００４５】
選択可能に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを検出して受信する第３受信モジュールをさらに含む。
【００４６】
選択可能に、前記伝送装置は、前記ｇｒｏｕｐ  ｃｏｍｍｏｎ  ＰＤＣＣＨのＣＲＣスクランブルに用いられるＲＮＴＩ値をハイレイヤシグナリングで取得する第２取得モジュールをさらに含み、第２受信モジュールは、具体的に、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの、前記ＲＮＴＩ値によるスクランブル後のＣＲＣが加えられた所定のＤＣＩフォーマットを、前記ＲＮＴＩ値に応じて検出して受信する。
【００４７】
選択可能に、前記ｇｒｏｕｐ  ｃｏｍｍｏｎ  ＰＤＣＣＨには、少なくとも１つのＵＥを含むＵＥ群の関連情報が付帯されている。
【００４８】
また別の方面において、本開示は、プロセッサ、メモリおよび前記メモリに記憶されて前記プロセッサで実行可能なコンピュータプログラムを含むダウンリンクチャネルの伝送装置をさらに提供する。前記プロセッサが前記コンピュータプログラムを実行すると、上記のダウンリンクチャネルの伝送方法のステップが実現される。
【００４９】
また別の方面において、本開示は、コンピュータプログラムが記憶されているコンピュータ読み取り可能な記憶媒体をさらに提供する。前記コンピュータプログラムがプロセッサによって実行されると、上記のダウンリンクチャネルの伝送方法のステップが実現される。
【００５０】
本開示の実施例のダウンリンクチャネルの伝送方法において、ｇｒｏｕｐ  ｃｏｍｍｏｎ  ＰＤＣＣＨ伝送用のリソースセットをＵＥに通知することによって、ＵＥは、ｇｒｏｕｐ  ｃｏｍｍｏｎ  ＰＤＣＣＨの検出受信用のリソース位置を特定し、ｇｒｏｕｐ  ｃｏｍｍｏｎ  ＰＤＣＣＨのリソース位置でｇｒｏｕｐ  ｃｏｍｍｏｎ  ＰＤＣＣＨを検出して受信することができる。
【図面の簡単な説明】
【００５１】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしないという前提で、これらの図面から他の図面を得ることもできる。
【００５２】
【図１】本開示の実施例におけるダウンリンクチャネルの伝送方法のフローチャートである。
【図２】（ａ）と（ｂ）は、本開示の実例１におけるｇｒｏｕｐ  ｃｏｍｍｏｎ  ＰＤＣＣＨ１の伝送位置図である。
【図３】（ａ）と（ｂ）は、本開示の実例２におけるｇｒｏｕｐ  ｃｏｍｍｏｎ  ＰＤＣＣＨ１の伝送位置図である。
【図４】本開示の実施例における別のダウンリンクチャネルの伝送方法のフローチャートである。
【図５】本開示の実施例におけるダウンリンクチャネルの伝送装置の構造図その１である。
【図６】本開示の実施例におけるダウンリンクチャネルの伝送装置の構造図その２である。
【図７】本開示の実施例におけるダウンリンクチャネルの伝送装置の構造図その３である。
【図８】本開示の実施例におけるダウンリンクチャネルの伝送装置の構造図その４である。
【図９】本開示の実施例における基地局の構造図である。
【図１０】本開示の実施例における端末の構造図である。
【発明を実施するための形態】
【００５３】
以下、本開示の実施例の図面を参照しながら、本開示の実施例の技術手段を明確且つ完全に記載する。明らかに、記載される実施例は、本開示の実施例の一部であり、全てではない。本開示の実施例に基づき、当業者が創造性のある作業をせずに為しえる全ての実施例は、すべて本開示の保護範囲に属するものである。
【００５４】
図１に示すように、本開示の実施例は、基地局に応用されるダウンリンクチャネルの伝送方法を提供する。当該方法において、ステップ１０１を含む。以下詳細に記載する。
【００５５】
ステップ１０１において、ｇｒｏｕｐ  ｃｏｍｍｏｎ  ＰＤＣＣＨ伝送用のリソースセットをＵＥに通知する。
【００５６】
ここで、ｇｒｏｕｐ  ｃｏｍｍｏｎ  ＰＤＣＣＨには、少なくとも１つのＵＥを含むＵＥ群の関連情報が付帯されている。
【００５７】
本開示の実施例において、ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する（すなわちほかの制御チャネルの伝送リソースのリソースセットとは重ならない）。すなわち、ｇｒｏｕｐ  ｃｏｍｍｏｎ  ＰＤＣＣＨは、ほかのＰＤＣＣＨとは同一のリソースセットで伝送され、または、ほかの制御チャネルの伝送リソースから独立したリソースセットで伝送される。ｇｒｏｕｐ  ｃｏｍｍｏｎ  ＰＤＣＣＨのリソースセットがほかの制御チャネルのリソースセットとは重なることは、具体的に、ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なり、および／または、ｇｒｏｕｐ  ｃｏｍｍｏｎ  ＰＤＣＣＨのリソースセットは、端末専用ＰＤＣＣＨのリソースセットとは重なる。
【００５８】
本開示の実施例のダウンリンクチャネルの伝送方法において、ｇｒｏｕｐ  ｃｏｍｍｏｎ  ＰＤＣＣＨ伝送用のリソースセットをＵＥに通知することによって、ＵＥは、ｇｒｏｕｐ  ｃｏｍｍｏｎ  ＰＤＣＣＨの検出受信用のリソース位置を特定し、ｇｒｏｕｐ  ｃｏｍｍｏｎ  ＰＤＣＣＨのリソース位置でｇｒｏｕｐ  ｃｏｍｍｏｎ  ＰＤＣＣＨを検出して受信することができる。
【００５９】
本開示の実施例において、基地局がｇｒｏｕｐ  ｃｏｍｍｏｎ  ＰＤＣＣＨ伝送用のリソースセットをＵＥに通知するプロセスは、具体的に、ｇｒｏｕｐ  ｃｏｍｍｏｎ  ＰＤＣＣＨ伝送用のリソースセットをハイレイヤシグナリングで前記ＵＥに通知し、または、前記ｇｒｏｕｐ  ｃｏｍｍｏｎ  ＰＤＣＣＨのリソースセットが共通ダウンリンク制御チャネルのリソースセットとは重なる場合、共通ダウンリンク制御チャネル伝送用のリソースセットをＭＩＢメッセージで前記ＵＥに通知し、ｇｒｏｕｐ  ｃｏｍｍｏｎ  ＰＤＣＣＨ伝送用のリソースセットを暗黙的に前記ＵＥに通知する。
【００６０】
具体的に、ハイレイヤシグナリングは、各ＵＥのハイレイヤシグナリングであり、たとえばＲＲＣ（Ｒａｄｉｏ  Ｒｅｓｏｕｒｃｅ  Ｃｏｎｔｒｏｌ）シグナリングである。ｇｒｏｕｐ  ｃｏｍｍｏｎ  ＰＤＣＣＨのリソースセットがほかの制御チャネルのリソースセットから独立する場合、ｇｒｏｕｐ  ｃｏｍｍｏｎ  ＰＤＣＣＨ伝送用のリソースセットをハイレイヤシグナリングで直接ＵＥに通知し、すなわち、ｇｒｏｕｐ  ｃｏｍｍｏｎ  ＰＤＣＣＨのリソースセットをハイレイヤシグナリングで設定する。一方、プロトコルの取り決めや所定のルールなどに基づいて、ｇｒｏｕｐ  ｃｏｍｍｏｎ  ＰＤＣＣＨのリソースセットが共通ダウンリンク制御チャネル伝送用のリソースセットとは重なる場合、ＭＩＢによって共通ダウンリンク制御チャネルのリソースセットを設定可能であり、共通ダウンリンク制御チャネル伝送用のリソースセットをＭＩＢメッセージでＵＥに通知する。この場合、ＵＥは、ＭＩＢで設定される共通ダウンリンク制御チャネル伝送用のリソースセットから、ｇｒｏｕｐ  ｃｏｍｍｏｎ  ＰＤＣＣＨのリソースセットを特定し、ｇｒｏｕｐ  ｃｏｍｍｏｎ  ＰＤＣＣＨを検出して受信する。
【００６１】
本開示の実施例において、ｇｒｏｕｐ  ｃｏｍｍｏｎ  ＰＤＣＣＨのリソースセットがほかの制御チャネルのリソースセットとは重なる場合、ｇｒｏｕｐ  ｃｏｍｍｏｎ  ＰＤＣＣＨのチャネル構造は、ほかのＰＤＣＣＨのチャネル構造とは同一である。さらに、基地局は、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを送信する。ここで、ｇｒｏｕｐ  ｃｏｍｍｏｎ  ＰＤＣＣＨの所定のＤＣＩフォーマットは、たとえばＤＣＩ  ｆｏｒｍａｔ  Ｘである。
【００６２】
すなわち、ｇｒｏｕｐ  ｃｏｍｍｏｎ  ＰＤＣＣＨのリソースセットがほかの制御チャネルのリソースセットとは重なる場合、ｇｒｏｕｐ  ｃｏｍｍｏｎ  ＰＤＣＣＨのチャネル構造は、ほかのＰＤＣＣＨのチャネル構造とは同一であり、本開示の実施例の伝送方法において、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを送信することをさらに含む。
【００６３】
このように、ＵＥは、ｇｒｏｕｐ  ｃｏｍｍｏｎ  ＰＤＣＣＨの受信が必要となると、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨのブラインド検出を行う。
【００６４】
また、ＵＥによるｇｒｏｕｐ  ｃｏｍｍｏｎ  ＰＤＣＣＨの迅速な検出受信のために、ｇｒｏｕｐ  ｃｏｍｍｏｎ  ＰＤＣＣＨは、スロットの１つ目のＯＦＤＭシンボルで伝送される。したがって、基地局がｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを送信する過程は、具体的に、ｇｒｏｕｐ  ｃｏｍｍｏｎ  ＰＤＣＣＨが送信されるスロットの１つ目のＯＦＤＭシンボルのｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを送信する。
【００６５】
本開示の実施例において、ｇｒｏｕｐ  ｃｏｍｍｏｎ  ＰＤＣＣＨのリソースセットがほかの制御チャネルのリソースセットから独立する場合、ｇｒｏｕｐ  ｃｏｍｍｏｎ  ＰＤＣＣＨのチャネル構造は、ほかのＰＤＣＣＨのチャネル構造とは同一であってもよく異なってもよい。ｇｒｏｕｐ  ｃｏｍｍｏｎ  ＰＤＣＣＨのチャネル構造がほかのＰＤＣＣＨのチャネル構造とは同一である場合、基地局は、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを送信する。ｇｒｏｕｐ  ｃｏｍｍｏｎ  ＰＤＣＣＨのチャネル構造がほかのＰＤＣＣＨのチャネル構造とは異なる場合、基地局は、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のチャネル構造に応じてｇｒｏｕｐ  ｃｏｍｍｏｎ  ＰＤＣＣＨを送信する。
【００６６】
すなわち、ｇｒｏｕｐ  ｃｏｍｍｏｎ  ＰＤＣＣＨのリソースセットがほかの制御チャネルのリソースセットから独立し、ｇｒｏｕｐ  ｃｏｍｍｏｎ  ＰＤＣＣＨのチャネル構造がほかのＰＤＣＣＨのチャネル構造とは同一である場合、本開示の実施例の伝送方法において、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットでｇｒｏｕｐ  ｃｏｍｍｏｎ  ＰＤＣＣＨを送信することをさらに含む。
【００６７】
または、ｇｒｏｕｐ  ｃｏｍｍｏｎ  ＰＤＣＣＨのリソースセットがほかの制御チャネルのリソースセットから独立し、ｇｒｏｕｐ  ｃｏｍｍｏｎ  ＰＤＣＣＨのチャネル構造がほかのＰＤＣＣＨのチャネル構造とは異なる場合、本開示の実施例の伝送方方法において、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のチャネル構造に応じてｇｒｏｕｐ  ｃｏｍｍｏｎ  ＰＤＣＣＨを送信することをさらに含む。
【００６８】
なお、ｇｒｏｕｐ  ｃｏｍｍｏｎ  ＰＤＣＣＨのリソースセットがほかの制御チャネルのリソースセットから独立した場合、基地局は、ｇｒｏｕｐ  ｃｏｍｍｏｎ  ＰＤＣＣＨを送信する際に、ｇｒｏｕｐ  ｃｏｍｍｏｎ  ＰＤＣＣＨが送信されるスロットの１つ目のＯＦＤＭシンボルのｇｒｏｕｐ  ｃｏｍｍｏｎ  ＰＤＣＣＨのリソースセット内で送信してもよい。
【００６９】
本開示の実施例において、ｇｒｏｕｐ  ｃｏｍｍｏｎ  ＰＤＣＣＨ送信の安全性を強化するために、基地局は、ＲＲＣシグナリングで設定されたＲＮＴＩ値など特定の数値によって、ｇｒｏｕｐ  ｃｏｍｍｏｎ  ＰＤＣＣＨの所定のＤＣＩフォーマットに対しＣＲＣスクランブルを行い、ｇｒｏｕｐ  ｃｏｍｍｏｎ  ＰＤＣＣＨのリソースセット内で、ＲＮＴＩ値によるスクランブル後のＣＲＣが加えられた所定のＤＣＩフォーマットに応じてｇｒｏｕｐ  ｃｏｍｍｏｎ  ＰＤＣＣＨを送信する。ＣＲＣスクランブル後の所定のＤＣＩフォーマットの関連ＵＥによる検出受信のために、基地局は、ＣＲＣスクランブルに用いられるＲＮＴＩ値をハイレイヤシグナリングでＵＥに通知する。
【００７０】
したがって、本開示の実施例の伝送方法において、ｇｒｏｕｐ  ｃｏｍｍｏｎ  ＰＤＣＣＨのＣＲＣスクランブルに用いられるＲＮＴＩ値をハイレイヤシグナリングでＵＥに通知することをさらに含む。
【００７１】
それに応じて、基地局は、ｇｒｏｕｐ  ｃｏｍｍｏｎ  ＰＤＣＣＨのリソースセット内で、ＲＮＴＩ値によるスクランブル後のＣＲＣが加えられた所定のＤＣＩフォーマットに応じてｇｒｏｕｐ  ｃｏｍｍｏｎ  ＰＤＣＣＨを送信する。
【００７２】
以下、実例１〜３を通じて本開示のダウンリンクチャネルの伝送方法を説明する。
【００７３】
実例１
ＵＥによるｇｒｏｕｐ  ｃｏｍｍｏｎ  ＰＤＣＣＨの検出受信、たとえばＵＥ１、ＵＥ２、ＵＥ３によるｇｒｏｕｐ  ｃｏｍｍｏｎ  ＰＤＣＣＨ１の検出受信を、基地局がハイレイヤシグナリングで設定するとする。ｇｒｏｕｐ  ｃｏｍｍｏｎ  ＰＤＣＣＨ１は、ｇｒｏｕｐ  ｃｏｍｍｏｎ  ＰＤＣＣＨが送信されるスロットの１つ目のＯＦＤＭシンボルで送信され、ＵＥ１、ＵＥ２、ＵＥ３に対応するハイレイヤシグナリングであるＲＲＣシグナリング１、ＲＲＣシグナリング２、ＲＲＣシグナリング３は、それぞれ、ＵＥ１、ＵＥ２、ＵＥ３に対応するｇｒｏｕｐ  ｃｏｍｍｏｎ  ＰＤＣＣＨ１の伝送に占められるリソースセットを通知する。ｇｒｏｕｐ  ｃｏｍｍｏｎ  ＰＤＣＣＨ１伝送用のリソースセットは、ほかの制御チャネルのリソースセットとは重なってもよく、ほかの制御チャネルのリソースセットから独立してもよい。たとえば、図２（ｂ）に示すように、ｇｒｏｕｐ  ｃｏｍｍｏｎ  ＰＤＣＣＨ１伝送用のリソースセットは、ＭＩＢで設定される共通ダウンリンク制御チャネル伝送用のリソースセットとは重なり、図２（ａ）に示すように、ＭＩＢで設定される共通ダウンリンク制御チャネル伝送用のリソースセットから独立する。
【００７４】
ＲＲＣシグナリングで設定されるｇｒｏｕｐ  ｃｏｍｍｏｎ  ＰＤＣＣＨ１伝送用のリソースセットが、ＭＩＢで設定される共通ダウンリンク制御チャネル伝送用のリソースセットとは重なる場合、ｇｒｏｕｐ  ｃｏｍｍｏｎ  ＰＤＣＣＨ１に付帯される情報は、ｇｒｏｕｐ  ｃｏｍｍｏｎ  ＰＤＣＣＨ１に関するＤＣＩ  ｆｏｒｍａｔ  Ｘで伝送され、ＵＥは、ｇｒｏｕｐ  ｃｏｍｍｏｎ  ＰＤＣＣＨ１のリソースセット内で、ｇｒｏｕｐ  ｃｏｍｍｏｎ  ＰＤＣＣＨ１をＤＣＩ  ｆｏｒｍａｔ  Ｘに応じて検出して受信する。
【００７５】
ＲＲＣシグナリングで設定されるｇｒｏｕｐ  ｃｏｍｍｏｎ  ＰＤＣＣＨ１伝送用のリソースセットが、ＭＩＢで設定される共通ダウンリンク制御チャネル伝送用のリソースセットから独立する場合、ｇｒｏｕｐ  ｃｏｍｍｏｎ  ＰＤＣＣＨ１に付帯される情報は、ｇｒｏｕｐ  ｃｏｍｍｏｎ  ＰＤＣＣＨ１に関するＤＣＩ  ｆｏｒｍａｔ  Ｘで伝送され、ＵＥは、ｇｒｏｕｐ  ｃｏｍｍｏｎ  ＰＤＣＣＨ１のリソースセット内で、ｇｒｏｕｐ  ｃｏｍｍｏｎ  ＰＤＣＣＨ１をＤＣＩ  ｆｏｒｍａｔ  Ｘに応じて検出して受信する。または、ｇｒｏｕｐ  ｃｏｍｍｏｎ  ＰＤＣＣＨ１は、ほかのＰＤＣＣＨとは異なるチャネル構造を有し、ＵＥは、ｇｒｏｕｐ  ｃｏｍｍｏｎ  ＰＤＣＣＨ１の所定のチャネル構造に応じて、ｇｒｏｕｐ  ｃｏｍｍｏｎ  ＰＤＣＣＨ１のリソースセット内で、対応するｇｒｏｕｐ  ｃｏｍｍｏｎ  ＰＤＣＣＨ１を検出して受信する。
【００７６】
実例２
ＵＥによるｇｒｏｕｐ  ｃｏｍｍｏｎ  ＰＤＣＣＨの検出受信、たとえば、ＵＥ４、ＵＥ５、ＵＥ６によるｇｒｏｕｐ  ｃｏｍｍｏｎ  ＰＤＣＣＨ２の検出受信を、基地局がハイレイヤシグナリングで設定するとする。ｇｒｏｕｐ  ｃｏｍｍｏｎ  ＰＤＣＣＨ２は、ｇｒｏｕｐ  ｃｏｍｍｏｎ  ＰＤＣＣＨが送信されるスロットの１つ目のＯＦＤＭシンボルで送信され、ＵＥ４、ＵＥ５、ＵＥ６に対応するハイレイヤシグナリングであるＲＲＣシグナリング４、ＲＲＣシグナリング５、ＲＲＣシグナリング６は、それぞれ、ＵＥ４、ＵＥ５、ＵＥ６に対応するｇｒｏｕｐ  ｃｏｍｍｏｎ  ＰＤＣＣＨ２の伝送に占められるリソースセットを通知する。ｇｒｏｕｐ  ｃｏｍｍｏｎ  ＰＤＣＣＨ２伝送用のリソースセットは、ほかの制御チャネルのリソースセットとは重なってもよく、ほかの制御チャネルのリソースセットから独立してもよい。たとえば、図３（ｂ）に示すように、ｇｒｏｕｐ  ｃｏｍｍｏｎ  ＰＤＣＣＨ２伝送用のリソースセットは、端末専用ＰＤＣＣＨのリソースセットとは重なり、図３（ａ）に示すように、端末専用ＰＤＣＣＨのリソースセットから独立する。
【００７７】
ＲＲＣシグナリングで設定されるｇｒｏｕｐ  ｃｏｍｍｏｎ  ＰＤＣＣＨ２伝送用のリソースセットが、端末専用ＰＤＣＣＨのリソースセットとは重なる場合、ｇｒｏｕｐ  ｃｏｍｍｏｎ  ＰＤＣＣＨ２に付帯される情報は、ｇｒｏｕｐ  ｃｏｍｍｏｎ  ＰＤＣＣＨ２に関するＤＣＩ  ｆｏｒｍａｔ  Ｘで伝送され、ＵＥは、ｇｒｏｕｐ  ｃｏｍｍｏｎ  ＰＤＣＣＨ２のリソースセット内で、ｇｒｏｕｐ  ｃｏｍｍｏｎ  ＰＤＣＣＨ２をＤＣＩ  ｆｏｒｍａｔ  Ｘに応じて検出して受信する。
【００７８】
ＲＲＣシグナリングで設定されるｇｒｏｕｐ  ｃｏｍｍｏｎ  ＰＤＣＣＨ２伝送用のリソースセットが、端末専用ＰＤＣＣＨのリソースセットから独立する場合、ｇｒｏｕｐ  ｃｏｍｍｏｎ  ＰＤＣＣＨ２に付帯される情報は、ｇｒｏｕｐ  ｃｏｍｍｏｎ  ＰＤＣＣＨ２に関するＤＣＩ  ｆｏｒｍａｔ  Ｘで伝送され、ＵＥは、ｇｒｏｕｐ  ｃｏｍｍｏｎ  ＰＤＣＣＨ２のリソースセット内で、ｇｒｏｕｐ  ｃｏｍｍｏｎ  ＰＤＣＣＨ２をＤＣＩ  ｆｏｒｍａｔ  Ｘに応じて検出して受信する。または、ｇｒｏｕｐ  ｃｏｍｍｏｎ  ＰＤＣＣＨ２は、ほかのＰＤＣＣＨとは異なるチャネル構造を有し、ＵＥは、ｇｒｏｕｐ  ｃｏｍｍｏｎ  ＰＤＣＣＨ２の所定のチャネル構造に応じて、ｇｒｏｕｐ  ｃｏｍｍｏｎ  ＰＤＣＣＨ２のリソースセット内で、対応するｇｒｏｕｐ  ｃｏｍｍｏｎ  ＰＤＣＣＨ２を検出して受信する。
【００７９】
実例３
ＵＥによるｇｒｏｕｐ  ｃｏｍｍｏｎ  ＰＤＣＣＨの検出受信、たとえば、ＵＥ１、ＵＥ２、ＵＥ３によるｇｒｏｕｐ  ｃｏｍｍｏｎ  ＰＤＣＣＨ１の検出受信を、基地局がハイレイヤシグナリングで設定するとする。ｇｒｏｕｐ  ｃｏｍｍｏｎ  ＰＤＣＣＨ１に関するＤＣＩ  ｆｏｒｍａｔ  Ｘを取り入れる。ｇｒｏｕｐ  ｃｏｍｍｏｎ  ＰＤＣＣＨ１は、ＭＩＢまたはＳＩＢで通知される共通ダウンリンク制御チャネル伝送用のリソースセット内で伝送される。ｇｒｏｕｐ  ｃｏｍｍｏｎ  ＰＤＣＣＨ１の伝送において、ほかの制御チャネルと同一のチャネル構造が用いられるが、ｇｒｏｕｐ  ｃｏｍｍｏｎ  ＰＤＣＣＨ１のＤＣＩ  ｆｏｒｍａｔ  Ｘは、ＲＮＴＩ値によるＣＲＣスクランブルが行われる。したがって、ＵＥ１、ＵＥ２、ＵＥ３に対応するハイレイヤシグナリングであるＲＲＣシグナリング１、ＲＲＣシグナリング２、ＲＲＣシグナリング３において、ＵＥ１、ＵＥ２、ＵＥ３に対応するｇｒｏｕｐ  ｃｏｍｍｏｎ  ＰＤＣＣＨ１のＣＲＣスクランブルに用いられるＲＮＴＩ値を通知する。ＵＥは、ｇｒｏｕｐ  ｃｏｍｍｏｎ  ＰＤＣＣＨ１をｇｒｏｕｐ  ｃｏｍｍｏｎ  ＰＤＣＣＨ１のリソースセット内で検出して受信する場合、ＤＣＩ  ｆｏｒｍａｔ  ＸをＲＮＴＩ値に応じて検出して受信する。
【００８０】
上記実施例は、本開示の基地局側のダウンリンクチャネルの伝送方法を説明したが、以下、実施例および図面を通じて本開示の端末側のダウンリンクチャネルの伝送方法を説明する。
【００８１】
図４に示すように、本開示の実施例は、ＵＥに応用されるダウンリンクチャネルの伝送方法をさらに提供する。当該方法において、ステップ４０１を含む。以下詳細に記載する。
【００８２】
ステップ４０１において、基地局からｇｒｏｕｐ  ｃｏｍｍｏｎ  ＰＤＣＣＨが伝送されるリソースセットを取得する。
【００８３】
ここで、ｇｒｏｕｐ  ｃｏｍｍｏｎ  ＰＤＣＣＨには、少なくとも１つのＵＥを含むＵＥ群の関連情報が付帯されている。
【００８４】
本開示の実施例において、ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。すなわち、ｇｒｏｕｐ  ｃｏｍｍｏｎ  ＰＤＣＣＨは、ほかのＰＤＣＣＨとは同一のリソースセットで伝送され、または、ほかの制御チャネルの伝送リソースから独立したリソースセットで伝送される。ｇｒｏｕｐ  ｃｏｍｍｏｎ  ＰＤＣＣＨのリソースセットがほかの制御チャネルのリソースセットとは重なることは、具体的に、ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なり、および／または、ｇｒｏｕｐ  ｃｏｍｍｏｎ  ＰＤＣＣＨのリソースセットは、端末専用ＰＤＣＣＨのリソースセットとは重なる。
【００８５】
本開示の実施例のダウンリンクチャネルの伝送方法において、基地局からｇｒｏｕｐ  ｃｏｍｍｏｎ  ＰＤＣＣＨが伝送されるリソースセットを取得することによって、ＵＥは、ｇｒｏｕｐ  ｃｏｍｍｏｎ  ＰＤＣＣＨの検出受信用のリソース位置を特定し、ｇｒｏｕｐ  ｃｏｍｍｏｎ  ＰＤＣＣＨのリソース位置でｇｒｏｕｐ  ｃｏｍｍｏｎ  ＰＤＣＣＨを検出して受信することができる。
【００８６】
本開示の実施例において、ＵＥが、基地局からｇｒｏｕｐ  ｃｏｍｍｏｎ  ＰＤＣＣＨが伝送されるリソースセットを取得することは、具体的に、前記基地局からｇｒｏｕｐ  ｃｏｍｍｏｎ  ＰＤＣＣＨが伝送されるリソースセットをハイレイヤシグナリングで取得し、または、前記ｇｒｏｕｐ  ｃｏｍｍｏｎ  ＰＤＣＣＨのリソースセットが共通ダウンリンク制御チャネルのリソースセットとは重なる場合、前記基地局から共通ダウンリンク制御チャネルが伝送されるリソースセットをＭＩＢメッセージで取得し、前記基地局からｇｒｏｕｐ  ｃｏｍｍｏｎ  ＰＤＣＣＨが伝送されるリソースセットを特定する。
【００８７】
ここで、ｇｒｏｕｐ  ｃｏｍｍｏｎ  ＰＤＣＣＨのリソースセットがほかの制御チャネルのリソースセットとは重なる場合、ｇｒｏｕｐ  ｃｏｍｍｏｎ  ＰＤＣＣＨのチャネル構造は、ほかのＰＤＣＣＨのチャネル構造とは同一であり、本開示の実施例の伝送方法において、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを検出して受信することをさらに含む。
【００８８】
具体的に、ＵＥが、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを検出して受信する過程は、ｇｒｏｕｐ  ｃｏｍｍｏｎ  ＰＤＣＣＨが送信されるスロットの１つ目のＯＦＤＭシンボルのｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを検出して受信する。
【００８９】
ここで、ｇｒｏｕｐ  ｃｏｍｍｏｎ  ＰＤＣＣＨのリソースセットがほかの制御チャネルのリソースセットから独立し、ｇｒｏｕｐ  ｃｏｍｍｏｎ  ＰＤＣＣＨのチャネル構造がほかのＰＤＣＣＨのチャネル構造とは同一である場合、本開示の実施例の伝送方法において、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットに応じてｇｒｏｕｐ  ｃｏｍｍｏｎ  ＰＤＣＣＨを検出して受信することをさらに含む。
【００９０】
ここで、ｇｒｏｕｐ  ｃｏｍｍｏｎ  ＰＤＣＣＨのリソースセットがほかの制御チャネルのリソースセットから独立し、ｇｒｏｕｐ  ｃｏｍｍｏｎ  ＰＤＣＣＨのチャネル構造がほかのＰＤＣＣＨのチャネル構造とは異なる場合、本開示の実施例の伝送方法において、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のチャネル構造に応じてｇｒｏｕｐ  ｃｏｍｍｏｎ  ＰＤＣＣＨを検出して受信することをさらに含む。
【００９１】
本開示の実施例において、前記伝送方法において、ｇｒｏｕｐ  ｃｏｍｍｏｎ  ＰＤＣＣＨのＣＲＣスクランブルに用いられるＲＮＴＩ値をハイレイヤシグナリングで取得することをさらに含む。ＵＥは、ｇｒｏｕｐ  ｃｏｍｍｏｎ  ＰＤＣＣＨのリソースセット内で、ｇｒｏｕｐ  ｃｏｍｍｏｎ  ＰＤＣＣＨの所定のＤＣＩフォーマットをＲＮＴＩ値に応じて検出して受信する。前記所定のＤＣＩフォーマットには、ＲＮＴＩ値によるスクランブル後のＣＲＣが加えられる。
【００９２】
上記実施例は、本開示のダウンリンクチャネルの伝送方法を説明したが、以下、実施例と図面と通じて本開示のダウンリンクチャネルの伝送装置を説明する。
【００９３】
図５に示すように、本開示の実施例は、基地局に応用されるダウンリンクチャネルの伝送装置をさらに提供する。当該装置は、ｇｒｏｕｐ  ｃｏｍｍｏｎ  ＰＤＣＣＨ伝送用のリソースセットをＵＥに通知する第１通知モジュール５１を含む。
【００９４】
本開示の実施例のダウンリンクチャネルの伝送装置は、ｇｒｏｕｐ  ｃｏｍｍｏｎ  ＰＤＣＣＨ伝送用のリソースセットをＵＥに通知することによって、ＵＥがｇｒｏｕｐ  ｃｏｍｍｏｎ  ＰＤＣＣＨの検出受信用のリソース位置を特定して、ｇｒｏｕｐ  ｃｏｍｍｏｎ  ＰＤＣＣＨのリソース位置でｇｒｏｕｐ  ｃｏｍｍｏｎ  ＰＤＣＣＨを検出して受信することができる。
【００９５】
本開示の実施例において、前記第１通知モジュール５１は、具体的に、ｇｒｏｕｐ  ｃｏｍｍｏｎ  ＰＤＣＣＨ伝送用のリソースセットをハイレイヤシグナリングで前記ＵＥに通知し、または、前記ｇｒｏｕｐ  ｃｏｍｍｏｎ  ＰＤＣＣＨのリソースセットが共通ダウンリンク制御チャネルのリソースセットとは重なる場合、共通ダウンリンク制御チャネル伝送用のリソースセットをＭＩＢメッセージで前記ＵＥに通知し、ｇｒｏｕｐ  ｃｏｍｍｏｎ  ＰＤＣＣＨ伝送用のリソースセットを暗黙的に前記ＵＥに通知する。
【００９６】
本開示の実施例において、前記ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。
【００９７】
本開示の実施例において、前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一である。図６に示すように、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する第１送信モジュール５２をさらに含む。
【００９８】
ここで、前記ｇｒｏｕｐ  ｃｏｍｍｏｎ  ＰＤＣＣＨのリソースセットがほかの制御チャネルのリソースセットとは重なることは、具体的に、前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる。
【００９９】
ここで、前記第１送信モジュール５２は、具体的に、ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する。
【０１００】
本開示の実施例において、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一である。図６に示すように、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する第２送信モジュール５３をさらに含む。
【０１０１】
ここで、第２送信モジュール５３は、具体的に、ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信する。
【０１０２】
本開示の実施例において、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なる。図６に示すように、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを送信する第３送信モジュール５４をさらに含む。
【０１０３】
ここで、第３送信モジュール５４は、具体的に、ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを送信する。
【０１０４】
本開示の実施例において、前記伝送装置は、前記ｇｒｏｕｐ  ｃｏｍｍｏｎ  ＰＤＣＣＨのＣＲＣスクランブルに用いられるＲＮＴＩ値をハイレイヤシグナリングで前記ＵＥに通知する第２通知モジュールをさらに含む。前記第２送信モジュール５３は、具体的に、前記ｇｒｏｕｐ  ｃｏｍｍｏｎ  ＰＤＣＣＨのリソースセット内で、前記ＲＮＴＩ値によるスクランブル後のＣＲＣが加えられた所定のＤＣＩフォーマットに応じて前記ｇｒｏｕｐ  ｃｏｍｍｏｎ  ＰＤＣＣＨを送信する。
【０１０５】
ここで、前記ｇｒｏｕｐ  ｃｏｍｍｏｎ  ＰＤＣＣＨには、少なくとも１つのＵＥを含むＵＥ群の関連情報が付帯されている。
【０１０６】
図７に示すように、本開示の実施例は、ＵＥに応用されるダウンリンクチャネルの伝送装置をさらに提供する。前記装置は、基地局からｇｒｏｕｐ  ｃｏｍｍｏｎ  ＰＤＣＣＨが伝送されるリソースセットを取得する第１取得モジュール７１を含む。
【０１０７】
本開示の実施例のダウンリンクチャネルの伝送装置は、基地局からｇｒｏｕｐ  ｃｏｍｍｏｎ  ＰＤＣＣＨが伝送されるリソースセットを取得することによって、ＵＥがｇｒｏｕｐ  ｃｏｍｍｏｎ  ＰＤＣＣＨの検出受信用のリソース位置を特定し、ｇｒｏｕｐ  ｃｏｍｍｏｎ  ＰＤＣＣＨのリソース位置でｇｒｏｕｐ  ｃｏｍｍｏｎ  ＰＤＣＣＨを検出して受信することができる。
【０１０８】
本開示の実施例において、前記第１取得モジュール７１は、具体的に、前記基地局からｇｒｏｕｐ  ｃｏｍｍｏｎ  ＰＤＣＣＨが伝送されるリソースセットをハイレイヤシグナリングで取得し、または、前記ｇｒｏｕｐ  ｃｏｍｍｏｎ  ＰＤＣＣＨのリソースセットが共通ダウンリンク制御チャネルのリソースセットとは重なる場合、基地局から共通ダウンリンク制御チャネルが伝送されるリソースセットをＭＩＢメッセージで取得し、前記基地局からｇｒｏｕｐ  ｃｏｍｍｏｎ  ＰＤＣＣＨが伝送されるリソースセットを特定する。
【０１０９】
本開示の実施例において、前記ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。
【０１１０】
本開示の実施例において、前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一である。図８に示すように、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する第１受信モジュール７２をさらに含む。
【０１１１】
ここで、前記ｇｒｏｕｐ  ｃｏｍｍｏｎ  ＰＤＣＣＨのリソースセットがほかの制御チャネルのリソースセットとは重なることは、具体的に、前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる。
【０１１２】
ここで、第１受信モジュール７２は、具体的に、前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する。
【０１１３】
本開示の実施例において、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一である。図８に示すように、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信する第２受信モジュール７３をさらに含む。
【０１１４】
本開示の実施例において、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なる。図８に示すように、前記伝送装置は、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを検出して受信する第３受信モジュール７４をさらに含む。
【０１１５】
本開示の実施例において、前記伝送装置は、前記ｇｒｏｕｐ  ｃｏｍｍｏｎ  ＰＤＣＣＨのＣＲＣスクランブルに用いられるＲＮＴＩ値をハイレイヤシグナリングで取得する第２取得モジュールをさらに含む。第２受信モジュール７３は、具体的に、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの、前記ＲＮＴＩ値によるスクランブル後のＣＲＣが加えられた所定のＤＣＩフォーマットを、前記ＲＮＴＩ値に応じて検出して受信する。
【０１１６】
ここで、前記ｇｒｏｕｐ  ｃｏｍｍｏｎ  ＰＤＣＣＨには、少なくとも１つのＵＥを含むＵＥ群の関連情報が付帯されている。
【０１１７】
図９に示すように、本開示の実施例は、第１バス９１と、第１トランシーバ９２と、アンテナ９３と、第１バスインタフェース９４と、第１プロセッサ９５と、第１メモリ９６を含む基地局をさらに提供する。
【０１１８】
ここで、第１プロセッサ９５は、第１メモリ９６からプログラムを読み取ることによって、ｇｒｏｕｐ  ｃｏｍｍｏｎ  ＰＤＣＣＨ伝送用のリソースセットをＵＥに通知するように第１トランシーバ９２を制御するプロセスを実行する。
【０１１９】
第１トランシーバ９２は、第１プロセッサ９５による制御でデータを送受信する。
【０１２０】
具体的に、第１プロセッサ９５は、さらに、ｇｒｏｕｐ  ｃｏｍｍｏｎ  ＰＤＣＣＨ伝送用のリソースセットをハイレイヤシグナリングで前記ＵＥに通知し、または、前記ｇｒｏｕｐ  ｃｏｍｍｏｎ  ＰＤＣＣＨのリソースセットが共通ダウンリンク制御チャネルのリソースセットとは重なる場合、共通ダウンリンク制御チャネル伝送用のリソースセットをＭＩＢメッセージで前記ＵＥに通知し、ｇｒｏｕｐ  ｃｏｍｍｏｎ  ＰＤＣＣＨ伝送用のリソースセットを暗黙的に前記ＵＥに通知するように第１トランシーバ９２を制御する。
【０１２１】
具体的に、前記ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。
【０１２２】
具体的に、前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、第１プロセッサ９５は、さらに、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信するように第１トランシーバ９２を制御する。
【０１２３】
具体的に、前記ｇｒｏｕｐ  ｃｏｍｍｏｎ  ＰＤＣＣＨのリソースセットがほかの制御チャネルのリソースセットとは重なることは、具体的に、前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる。
【０１２４】
具体的に、第１プロセッサ９５は、さらに、前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信するように第１トランシーバ９２を制御する。
【０１２５】
具体的に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、第１プロセッサ９５は、さらに、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信するように第１トランシーバ９２を制御する。
【０１２６】
具体的に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、第１プロセッサ９５は、さらに、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを送信するように第１トランシーバ９２を制御する。
【０１２７】
具体的に、第１プロセッサ９５は、さらに、前記ｇｒｏｕｐ  ｃｏｍｍｏｎ  ＰＤＣＣＨのＣＲＣスクランブルに用いられるＲＮＴＩ値をハイレイヤシグナリングで前記ＵＥに通知し、前記ｇｒｏｕｐ  ｃｏｍｍｏｎ  ＰＤＣＣＨのリソースセット内で、前記ＲＮＴＩ値によるスクランブル後のＣＲＣが加えられた所定のＤＣＩフォーマットに応じて前記ｇｒｏｕｐ  ｃｏｍｍｏｎ  ＰＤＣＣＨを送信するように第１トランシーバ９２を制御する。
【０１２８】
具体的に、前記ｇｒｏｕｐ  ｃｏｍｍｏｎ  ＰＤＣＣＨには、少なくとも１つのＵＥを含むＵＥ群の関連情報が付帯されている。
【０１２９】
図９において、バスアーキテクチャ（第１バス９１で示す）は、任意数の相互接続するバスとブリッジを含む。第１バス９１は、第１プロセッサ９５をはじめとする１つ又は複数のプロセッサと第１メモリ９６をはじめとするメモリの各種類の回路が接続したものである。第１バス９１は、周辺イクイップメント、レギュレーター、電力管理回路などの各種類のほかの回路を接続したものであってもよい。これらは、いずれも本分野の公知事項であり、本文においてさらなる記載をしない。第１バスインタフェース９４により、第１バス９１と第１トランシーバ９２との間でインタフェースが提供される。第１トランシーバ９２は、１つの部品であってもよく、複数の受信機および送信機など、複数の部品であってもよく、伝送媒体でほかの各種類の装置と通信するユニットとして提供される。第１プロセッサ９５によって処理されたデータは、アンテナ９３を介して無線媒体で伝送される。さらに、アンテナ９３は、データを受信し、データを第１プロセッサ９５に送信する。
【０１３０】
第１プロセッサ９５は、第１バス９１と通常の処理を管理し、さらに計時、周囲インタフェース、電圧調節、電源管理およびほかの制御機能など、様々な機能も提供する。第１メモリ９６は、第１プロセッサ９５による操作実行に用いられるデータを記憶することに用いられる。
【０１３１】
選択可能に、第１プロセッサ９５は、ＣＰＵ、ＡＳＩＣ、ＦＰＧＡまたはＣＰＬＤである。
【０１３２】
図１０に示すように、本開示の実施例は、第２バス１１１と、第２プロセッサ１１２と、第２トランシーバ１１３と、第２バスインタフェース１１４と、第２メモリ１１５と、ユーザインタフェース１１６を含む端末をさらに提供する。
【０１３３】
ここで、第２プロセッサ１１２は、第２メモリ１１５からプログラムを読み取ることによって、基地局からｇｒｏｕｐ  ｃｏｍｍｏｎ  ＰＤＣＣＨが伝送されるリソースセットを取得するように第２トランシーバ１１３を制御するプロセスを実行する。
【０１３４】
第２トランシーバ１１３は、第２プロセッサ１１２による制御でデータを送受信する。
【０１３５】
具体的に、第２プロセッサ１１２は、さらに、前記基地局からｇｒｏｕｐ  ｃｏｍｍｏｎ  ＰＤＣＣＨが伝送されるリソースセットをハイレイヤシグナリングで取得し、または、前記ｇｒｏｕｐ  ｃｏｍｍｏｎ  ＰＤＣＣＨのリソースセットが共通ダウンリンク制御チャネルのリソースセットとは重なる場合、基地局から共通ダウンリンク制御チャネルが伝送されるリソースセットをＭＩＢメッセージで取得し、前記基地局からｇｒｏｕｐ  ｃｏｍｍｏｎ  ＰＤＣＣＨが伝送されるリソースセットを取得するように第２トランシーバ１１３を制御する。
【０１３６】
具体的に、前記ｇｒｏｕｐ  ｃｏｍｍｏｎ  ＰＤＣＣＨのリソースセットは、ほかの制御チャネルのリソースセットとは重なり、または、ほかの制御チャネルのリソースセットから独立する。
【０１３７】
具体的に、前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、第２プロセッサ１１２は、さらに、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信するように第２トランシーバ１１３を制御する。
【０１３８】
具体的に、前記ｇｒｏｕｐ  ｃｏｍｍｏｎ  ＰＤＣＣＨのリソースセットがほかの制御チャネルのリソースセットとは重なることは、具体的に、前記ｇｒｏｕｐ  ｃｏｍｍｏｎ  ＰＤＣＣＨのリソースセットは、ＭＩＢまたはＳＩＢで設定される共通ダウンリンク制御チャネル伝送用のリソースセットとは重なる。
【０１３９】
具体的に、第２プロセッサ１１２は、さらに、前記ｇｒｏｕｐ  ｃｏｍｍｏｎ  ＰＤＣＣＨが送信されるスロットの１つ目のＯＦＤＭシンボルの前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信するように第２トランシーバ１１３を制御する。
【０１４０】
具体的に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、第２プロセッサ１１２は、さらに、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信するように第２トランシーバ１１３を制御する。
【０１４１】
具体的に、前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、第２プロセッサ１１２は、さらに、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを検出して受信するように第２トランシーバ１１３を制御する。
【０１４２】
具体的に、第２プロセッサ１１２は、さらに、前記ｇｒｏｕｐ  ｃｏｍｍｏｎ  ＰＤＣＣＨのＣＲＣスクランブルに用いられるＲＮＴＩ値をハイレイヤシグナリングで取得し、前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの、前記ＲＮＴＩ値によるスクランブル後のＣＲＣが加えられた所定のＤＣＩフォーマットを、前記ＲＮＴＩ値に応じて検出して受信するように第２トランシーバ１１３を制御する。
【０１４３】
具体的に、前記ｇｒｏｕｐ  ｃｏｍｍｏｎ  ＰＤＣＣＨには、少なくとも１つのＵＥを含むＵＥ群の関連情報が付帯されている。
【０１４４】
図１０において、バスアーキテクチャ（第２バス１１１で示す）は、任意数の相互接続するバスとブリッジを含む。第２バス１１１は、汎用の第２プロセッサ１１２をはじめとする１つ又は複数のプロセッサと第２メモリ１１５をはじめとするメモリの各種類の回路が接続したものである。第２バス１１１は、周辺イクイップメント、レギュレーター、電力管理回路などの各種類のほかの回路を接続したものであってもよい。これらは、いずれも本分野の公知事項であり、本文においてさらなる記載をしない。第２バスインタフェース１１４により、第２バス１１１と第２トランシーバ１１３との間でインタフェースが提供される。第２トランシーバ１１３は、１つの部品であってもよく、複数の受信機および送信機など、複数の部品であってもよく、伝送媒体でほかの各種類の装置と通信するユニットとして提供される。たとえば、第２トランシーバ１１３は、ほかの機器から外部データを受信する。第２トランシーバ１１３は、第２プロセッサ１１２によって処理されたデータをほかの機器に送信する。計算システムの性質によっては、キーパッド、ディスプレイ、スピーカ、マイクロフォン、ジョイスティックなどのユーザインタフェース１１６が提供される。
【０１４５】
第２プロセッサ１１２は、第２バス１１１と通常の処理を管理し、前述のように汎用のオペレーションシステムを実行する。第２メモリ１１５は、第２プロセッサ１１２による操作実行に用いられるデータを記憶ことに用いられる。
【０１４６】
選択可能に、第２プロセッサ１１２は、ＣＰＵ、ＡＳＩＣ、ＦＰＧＡまたはＣＰＬＤである。
【０１４７】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０１４８】
上述した本開示の実施例の番号は、単に記載用のものであり、実施例の優劣を代表しない。
【０１４９】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機またはネットワークデバイスなど）に実行させるいくつかの指令を含む。
【０１５０】
以上記載されたのは、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
2020518196.tif 000003
【図２】
2020518196.tif 000004
【図３】
2020518196.tif 000005
【図４】
2020518196.tif 000006
【図５】
2020518196.tif 000007
【図６】
2020518196.tif 000008
【図７】
2020518196.tif 000009
【図８】
2020518196.tif 000010
【図９】
2020518196.tif 000011
【図１０】
2020518196.tif 000012
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
ｇｒｏｕｐ  ｃｏｍｍｏｎ  ＰＤＣＣＨ伝送用のリソースセットをＵＥ（Ｕｓｅｒ  Ｅｑｕｉｐｍｅｎｔ）に通知することを含む、ダウンリンクチャネルの伝送方法。
【請求項２】
前記ｇｒｏｕｐ  ｃｏｍｍｏｎ  ＰＤＣＣＨ伝送用のリソースセットをＵＥに通知することは、
ｇｒｏｕｐ  ｃｏｍｍｏｎ  ＰＤＣＣＨ伝送用のリソースセットをハイレイヤシグナリングで前記ＵＥに通知すること、または、
前記ｇｒｏｕｐ  ｃｏｍｍｏｎ  ＰＤＣＣＨのリソースセットが共通ダウンリンク制御チャネルのリソースセットとは重なる場合、共通ダウンリンク制御チャネル伝送用のリソースセットをＭＩＢ（Ｍａｓｔｅｒ  Ｉｎｆｏｒｍａｔｉｏｎ  Ｂｌｏｃｋ）メッセージで前記ＵＥに通知し、ｇｒｏｕｐ  ｃｏｍｍｏｎ  ＰＤＣＣＨ伝送用のリソースセットを暗黙的に前記ＵＥに通知することを含み、
前記ｇｒｏｕｐ  ｃｏｍｍｏｎ  ＰＤＣＣＨには、少なくとも１つのＵＥを含むＵＥ群の関連情報が付帯されている、請求項１に記載の伝送方法。
【請求項３】
前記ｇｒｏｕｐ  ｃｏｍｍｏｎ  ＰＤＣＣＨのリソースセットは、
ほかの制御チャネルのリソースセットとは重なり、または、ほかの制御チャネルのリソースセットから独立する、請求項１に記載の伝送方法。
【請求項４】
前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩ（Ｄｏｗｎｌｉｎｋ  Ｃｏｎｔｒｏｌ  Ｉｎｆｏｒｍａｔｉｏｎ）フォーマットに応じて前記ｇｒｏｕｐ  ｃｏｍｍｏｎ  ＰＤＣＣＨを送信することをさらに含む、請求項３に記載の伝送方法。
【請求項５】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することをさらに含む、請求項３に記載の伝送方法。
【請求項６】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを送信することをさらに含む、請求項３に記載の伝送方法。
【請求項７】
前記ｇｒｏｕｐ  ｃｏｍｍｏｎ  ＰＤＣＣＨのＣＲＣ（Ｃｙｃｌｉｃ  Ｒｅｄｕｎｄａｎｃｙ  Ｃｈｅｃｋ）スクランブルに用いられるＲＮＴＩ（Ｒａｄｉｏ  Ｎｅｔｗｏｒｋ  Ｔｅｍｐｏｒａｒｙ  ＩＤ）値をハイレイヤシグナリングで前記ＵＥに通知することをさらに含み、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを送信することは、
前記ｇｒｏｕｐ  ｃｏｍｍｏｎ  ＰＤＣＣＨのリソースセット内で、前記ＲＮＴＩ値によるスクランブル後のＣＲＣが加えられた所定のＤＣＩフォーマットに応じて前記ｇｒｏｕｐ  ｃｏｍｍｏｎ  ＰＤＣＣＨを送信する、請求項５に記載の伝送方法。
【請求項８】
基地局からｇｒｏｕｐ  ｃｏｍｍｏｎ  ＰＤＣＣＨが伝送されるリソースセットを取得することを含む、ダウンリンクチャネルの伝送方法。
【請求項９】
前記基地局からｇｒｏｕｐ  ｃｏｍｍｏｎ  ＰＤＣＣＨが伝送されるリソースセットを取得することは、
前記基地局からｇｒｏｕｐ  ｃｏｍｍｏｎ  ＰＤＣＣＨが伝送されるリソースセットをハイレイヤシグナリングで取得すること、または、
前記ｇｒｏｕｐ  ｃｏｍｍｏｎ  ＰＤＣＣＨのリソースセットが共通ダウンリンク制御チャネルのリソースセットとは重なる場合、基地局から共通ダウンリンク制御チャネルが伝送されるリソースセットをＭＩＢメッセージで取得し、前記基地局からｇｒｏｕｐ  ｃｏｍｍｏｎ  ＰＤＣＣＨが伝送されるリソースセットを特定することを含み、
前記ｇｒｏｕｐ  ｃｏｍｍｏｎ  ＰＤＣＣＨには、少なくとも１つのＵＥを含むＵＥ群の関連情報が付帯されている、請求項８に記載の伝送方法。
【請求項１０】
前記ｇｒｏｕｐ  ｃｏｍｍｏｎ  ＰＤＣＣＨのリソースセットは、
ほかの制御チャネルのリソースセットとは重なり、または、ほかの制御チャネルのリソースセットから独立する、請求項８に記載の伝送方法。
【請求項１１】
前記ｇｒｏｕｐ  ｃｏｍｍｏｎ  ＰＤＣＣＨのリソースセットは、ほかの制御チャネルのリソースセットとは重なり、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することをさらに含む、請求項１０に記載の伝送方法。
【請求項１２】
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは同一であり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することをさらに含み、または、
前記ｇｒｏｕｐ  ｃｏｍｍｏｎ  ＰＤＣＣＨのリソースセットは、ほかの制御チャネルのリソースセットから独立し、前記ｇｒｏｕｐ  ｃｏｍｍｏｎ  ＰＤＣＣＨのチャネル構造は、ほかのＰＤＣＣＨのチャネル構造とは異なり、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のチャネル構造に応じて前記ｇｒｏｕｐ  ｃｏｍｍｏｎ  ＰＤＣＣＨを検出して受信することをさらに含む、請求項１０に記載の伝送方法。
【請求項１３】
前記ｇｒｏｕｐ  ｃｏｍｍｏｎ  ＰＤＣＣＨのＣＲＣスクランブルに用いられるＲＮＴＩ値をハイレイヤシグナリングで取得することをさらに含み、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの所定のＤＣＩフォーマットに応じて前記ｇｒｏｕｐ  ｃｏｍｍｏｎ  ＰＤＣＣＨを検出して受信することは、
前記ｇｒｏｕｐ  ｃｏｍｍｏｎ  ＰＤＣＣＨのリソースセット内で、前記ｇｒｏｕｐ  ｃｏｍｍｏｎ  ＰＤＣＣＨの、前記ＲＮＴＩ値によるスクランブル後のＣＲＣが加えられた所定のＤＣＩフォーマットを、前記ＲＮＴＩ値に応じて検出して受信する、請求項１２に記載の伝送方法。
【請求項１４】
ｇｒｏｕｐ  ｃｏｍｍｏｎ  ＰＤＣＣＨ伝送用のリソースセットをＵＥに通知する第１通知モジュールを含む、ダウンリンクチャネルの伝送装置。
【請求項１５】
基地局からｇｒｏｕｐ  ｃｏｍｍｏｎ  ＰＤＣＣＨが伝送されるリソースセットを取得する第１取得モジュールを含む、ダウンリンクチャネルの伝送装置。
【国際調査報告】
2020518196.tif 000013
2020518196.tif 000014
2020518196.tif 000015
2020518196.tif 000016
2020518196.tif 000017